【手続補正書】
【提出日】平成18年6月5日(2006.6.5)
【手続補正１】
【補正対象書類名】明細書
【補正対象項目名】発明の名称
【補正方法】変更
【補正の内容】
【発明の名称】クライアント装置、サーバ装置、データ通信方法、データ通信プログラム及びコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】  ネットワークを介してサーバ装置と接続されるクライアント装置であって、
当該クライアント装置上における各操作内容をログファイルとして記憶するログファイル記憶手段と、
前記サーバ装置からのログオフ又は表示画面の切り替え動作を監視する監視手段と、
前記ログファイル記憶手段に記憶されるログファイルを前記サーバ装置に対して転送する転送手段とを有し、
前記監視手段は、前記サーバ装置からのログオフ動作が実行されると、前記ログファイルを前記サーバ装置に対して転送するように前記転送手段に指示することを特徴とするクライアント装置。
【請求項２】  前記転送手段は、転送したログファイルを全て受信しなかったことが前記サーバ装置により検出された場合、前記サーバ装置に対してログファイルを再転送することを特徴とする請求項１に記載のクライアント装置。
【請求項３】  前記転送手段は、次回のログオン時に前記ログファイルを再転送することを特徴とする請求項２に記載のクライアント装置。
【請求項４】  ネットワークを介して一又は複数のクライアント装置と接続されるサーバ装置であって、
前記クライアント装置が当該サーバ装置からログオフ動作が実行された場合に前記クライアント装置から転送される、前記クライアント装置上の各操作内容を示すログファイルを受信する受信手段を有することを特徴とするサーバ装置。
【請求項５】  前記クライアント端末からの当該サーバ装置に対するアクセスの正当性を認証し、前記クライアント装置が前回のログオン時におけるログファイルを全て受信したか否かを判断し、前記ログファイルを全て受信していないと判断した場合、前記クライアント装置にアクセス権を与えない認証手段を更に有することを特徴とする請求項４に記載のサーバ装置。
【請求項６】  前記クライアント装置から転送されたログファイルを全て受信したか否かを確認し、前記ログファイルを全て受信していないと判断した場合、前記クライアント装置に対して前記ログファイルの再転送を要求する確認手段を更に有することを特徴とする請求項４に記載のサーバ装置。
【請求項７】  前記確認手段は、前記ログファイルの再転送を要求する際には、次回のログオン時に前記ログファイルを再転送するよう要求することを特徴とする請求項６に記載のサーバ装置。
【請求項８】  サーバ装置と、前記サーバ装置に接続されるクライアント装置を含むネットワークシステムにおけるデータ通信方法であって、
前記クライアント装置上での操作内容を前記クライアント装置に記憶する第１の記憶ステップと、
前記第１の記憶ステップによって記憶された前記操作内容を前記サーバ装置に送信する送信ステップと、
前記送信ステップにて送信された前記操作内容を受信する受信ステップと、
前記受信ステップで受信した前記操作内容を前記サーバ装置に記憶する第２の記憶ステップを有し、
前記送信ステップは前記クライアント装置のログオフ動作に応じて、前記第１の記憶ステップによって記憶された前記操作内容を前記サーバ装置に送信することを特徴とするデータ通信方法。
【請求項９】  前記受信ステップは、前記送信ステップにより送信される前記操作内容をすべて受信したかどうかを判断し、前記送信ステップにより送信される前記操作内容をすべて受信していない場合、前記送信ステップは前記第１の記憶ステップによって記憶された前記操作内容を再度送信することを特徴とする請求項８に記載のデータ通信方法。
【請求項１０】  前記送信ステップは、次回のログオン時に前記第１の記憶ステップによって記憶された前記操作内容を再度送信することを特徴とする請求項９に記載のデータ通信方法。
【請求項１１】  前記送信ステップによる前記操作内容の再送信が完了するまで、前記クライアント装置から前記サーバ装置へのアクセスを制限する制限ステップを有することを特徴とする請求項１０に記載のデータ通信方法。
【請求項１２】  前記受信ステップは、前記送信ステップにより送信される前記操作内容をすべて受信したかどうかを判断し、前記送信手段により送信される前記操作内容をすべて受信した場合、前記クライアント装置へ受信の完了を通知することを特徴とする請求項８に記載のデータ通信方法。
【請求項１３】  前記送信ステップは、前記受信ステップが前記送信ステップにより送信される前記操作内容をすべて受信していないと判断してから所定時間経過後に前記第１の記憶ステップによって記憶された前記操作内容を再度送信することを特徴とする請求項９に記載のデータ通信方法。
【請求項１４】  サーバ装置と、前記サーバ装置に接続されるクライアント装置を含むネットワークシステムにおけるデータ通信プログラムであって、
前記クライアント装置上での操作内容を前記クライアント装置に記憶する第１の記憶ステップと、
前記第１の記憶ステップによって記憶された前記操作内容を前記サーバ装置に送信する送信ステップと、
前記送信ステップにて送信された前記操作内容を受信する受信ステップと、
前記受信ステップで受信した前記操作内容を前記サーバ装置に記憶する第２の記憶ステップとをコンピュータに実行させ、
前記送信ステップは、前記クライアント装置のログオフ動作に応じて、前記第１の記憶ステップによって記憶された前記操作内容を前記サーバ装置に送信することを特徴とするデータ通信プログラム。
【請求項１５】  前記請求項１４に記載のデータ通信プログラムを記録したことを特徴とするコンピュータ読み取り可能な記録媒体。
【手続補正３】
【補正対象書類名】明細書
【補正対象項目名】００１０
【補正方法】変更
【補正の内容】
【００１０】
【課題を解決するための手段】
本発明のクライアント装置は、ネットワークを介してサーバ装置と接続されるクライアント装置であって、当該クライアント装置上における各操作内容をログファイルとして記憶するログファイル記憶手段と、前記サーバ装置からのログオフ又は表示画面の切り替え動作を監視する監視手段と、前記ログファイル記憶手段に記憶されるログファイルを前記サーバ装置に対して転送する転送手段とを有し、前記監視手段は、前記サーバ装置からのログオフ動作が実行されると、前記ログファイルを前記サーバ装置に対して転送するように前記転送手段に指示することを特徴とする。
本発明のサーバ装置は、ネットワークを介して一又は複数のクライアント装置と接続されるサーバ装置であって、前記クライアント装置が当該サーバ装置からログオフ動作が実行された場合に前記クライアント装置から転送される、前記クライアント装置上の各操作内容を示すログファイルを受信する受信手段を有することを特徴とする。
本発明のデータ通信方法は、サーバ装置と、前記サーバ装置に接続されるクライアント装置を含むネットワークシステムにおけるデータ通信方法であって、記クライアント装置上での操作内容を前記クライアント装置に記憶する第１の記憶ステップと、記第１の記憶ステップによって記憶された前記操作内容を前記サーバ装置に送信する送信ステップと、記送信ステップにて送信された前記操作内容を受信する受信ステップと、記受信ステップで受信した前記操作内容を前記サーバ装置に記憶する第２の記憶ステップを有し、記送信ステップは前記クライアント装置のログオフ動作に応じて、前記第１の記憶ステップによって記憶された前記操作内容を前記サーバ装置に送信することを特徴とする。
本発明のデータ通信プログラムは、サーバ装置と、前記サーバ装置に接続されるクライアント装置を含むネットワークシステムにおけるデータ通信プログラムであって、記クライアント装置上での操作内容を前記クライアント装置に記憶する第１の記憶ステップと、記第１の記憶ステップによって記憶された前記操作内容を前記サーバ装置に送信する送信ステップと、記送信ステップにて送信された前記操作内容を受信する受信ステップと、前記受信ステップで受信した前記操作内容を前記サーバ装置に記憶する第２の記憶ステップとをコンピュータに実行させ、前記送信ステップは前記クライアント装置のログオフ動作に応じて、前記第１の記憶ステップによって記憶された前記操作内容を前記サーバ装置に送信することを特徴とする。